(57)【特許請求の範囲】
【請求項１】
０．１質量％から２５質量％の一つ又は複数の脂肪酸と；
５０質量％から９０質量％の一つ又は複数の炭化水素と；
０．１質量％から５質量％の一つ又は複数のソルビタンエステルと；
１質量％から５質量％の一つ又は複数の非イオン性界面活性剤と
を含む、乾燥潤滑剤組成物であって、
前記非イオン性界面活性剤は、エトキシル化アルコールを含み、
前記組成物は水及びシリコーン化合物を実質的に含まず、金属コンベヤ又はプラスチックコンベヤに潤滑性を提供し、
前記炭化水素は、ＣｎＨ２ｎ＋２、ＣｎＨ２ｎ−２、ＣｎＨ２ｎ−６、又はＣｎＨ２ｎの一般式を有し、
前記エトキシル化アルコールは、６〜２４個の炭素原子を有する、飽和又は不飽和、直鎖又は分岐鎖アルコール１モルと、エチレンオキシド３〜５０モルとの生成物である、組成物。
【請求項２】
前記脂肪酸は、前記潤滑剤組成物の１質量％から２０質量％を構成し、前記炭化水素は、前記潤滑剤組成物の７０質量％から８５質量％を構成し、前記潤滑剤組成物は、０．００１質量％から１０質量％の一つ又は複数のポリグリコールを更に含む、請求項１に記載の組成物。
【請求項３】
前記脂肪酸の炭素原子は、６から２２個である、請求項１または２に記載の組成物。
【請求項４】
前記炭化水素は、脂肪族炭化水素、ベンゼン炭化水素、又は鉱物油の一つ又は複数である、請求項１〜３のいずれか一項に記載の組成物。
【請求項５】
前記ソルビタンエステルは、ソルビタンモノオレエート、ソルビタンモノラウレート、ソルビタンモノエステアレート、ソルビタントリエステアレート、ポリオキシエチレン化ソルビタントリオレエート、エトキシル化ソルビタンモノラウレート、及びそれらの組み合わせからなる群から選択される、請求項１から４のいずれか一項に記載の組成物。
【請求項６】
前記ポリグリコールは、ポリアルキレングリコール、ポリエチレングリコール、ポリプロピレングリコール、又はこれらの組み合わせである、請求項２から５のいずれか一項に記載の組成物。
【請求項７】
前記脂肪酸は、オレイン酸であり、前記ソルビタンエステルは、ソルビタンモノオレエートであり、前記炭化水素は、鉱物油であり、前記ポリグリコールは、ポリエチレングリコールである、請求項２から６のいずれか一項に記載の組成物。
【請求項８】
追加的な機能性材料をさらに含む、請求項１から７のいずれか一項に記載の組成物。
【請求項９】
１質量％から１５質量％のＣ６〜Ｃ２２脂肪酸と；
５０質量％から９０質量％の鉱物油と；
０．１質量％から５質量％のソルビタンエステルと；
１質量％から５質量％の非イオン性界面活性剤と
を含む、乾燥潤滑剤組成物であって、
前記非イオン性界面活性剤は、エトキシル化アルコールを含み、
前記組成物は水及びシリコーン化合物を実質的に含まず、金属コンベヤ又はプラスチックコンベヤに潤滑性を提供し、
前記鉱物油は、ＣｎＨ２ｎ＋２、ＣｎＨ２ｎ−２、ＣｎＨ２ｎ−６、又はＣｎＨ２ｎの一般式を有し、
前記エトキシル化アルコールは、６〜２４個の炭素原子を有する、飽和又は不飽和、直鎖又は分岐鎖アルコール１モルと、エチレンオキシド３〜５０モルとの生成物である、組成物。
【請求項１０】
前記潤滑剤組成物は、０．００１質量％から１０質量％の一つ又は複数のポリグリコール、追加的な乳化剤、殺微生物薬、又はこれらの組み合わせをさらに含む、請求項９に記載の組成物。
【請求項１１】
表面を潤滑する方法であって、
請求項１から１０のいずれか一項に記載の潤滑剤組成物を、乾燥式で、直接適用にて表面に適用することと；
摩擦係数を０．２未満に維持しながら前記表面上に潤滑層またはフィルムを形成し、それにより、前記表面に沿った容器の移動を促進することとを含み、
前記表面は、金属コンベヤもしくはプラスチックコンベヤ、または前記金属コンベヤもしくは前記プラスチックコンベヤと接触している容器であり、
前記潤滑剤組成物は、希釈することなく適用される、方法。
【請求項１２】
前記コンベヤは、ボトル詰め製品用である、請求項１１に記載の方法。
【請求項１３】
前記適用は、断続的であり、適用間に長い間隔がある、請求項１１または１２に記載の方法。
【請求項１４】
前記適用は、スプレーまたはノズルを使用する、請求項１１から１３のいずれか一項に記載の方法。
【請求項１５】
前記ノズルは、前記潤滑剤組成物を、前記コンベヤの容器接触表面の少なくとも一部に、または前記容器のコンベヤ接触表面の少なくとも一部に接触させる、請求項１４に記載の方法。
【請求項１６】
前記組成物は、前記容器に接触する前記コンベヤの部分にのみ、または前記コンベヤに接触する前記容器の部分にのみ適用される、請求項１１から１５のいずれか一項に記載の方法。
【請求項１７】
前記潤滑剤組成物は、ある期間には適用され、またある期間には適用されず、適用時間：非適用時間の比は、少なくとも１：１０である、請求項１１から１６のいずれか一項に記載の方法。
【請求項１８】
前記潤滑剤組成物は、ＰＥＴボトルの応力亀裂試験におけるグレードＡまたはＢにより測定されるように、ＰＥＴ適合性であり、前記容器は、ポリエチレンを含む、請求項１１から１７のいずれか一項に記載の方法。
【発明の詳細な説明】
【技術分野】
【０００１】
関連出願の相互参照
本出願は、２０１５年７月２７日に出願された米国特許出願第１４／８０９，４３７号に対する優先権を主張し、この開示は、参照することによりその全体が本明細書に組み込まれる。
【０００２】
本発明は、容器を通過させるための移送システムにおいて見られるような、プラスチック及びステンレススチールを含む様々な表面用の潤滑剤組成物に関する。特に、潤滑剤組成物は、乾燥潤滑剤式または半乾燥潤滑剤式での使用に好適な乾燥組成物である。本発明の一態様において、潤滑剤は、プラスチック上に、特に金属コンベヤベルト等の上に適用され、それによりベルトが効率的に潤滑される。これらのベルトは、一般に、産業において、飲料、食品、またはボトル詰めされ得る他の製品をボトル詰めするために使用される、ガラス、プラスチックまたは可塑化受容器、及び金属缶の運搬に使用される。
【背景技術】
【０００３】
現在の飲料、食品またはボトル詰め製品は、ガラス、プラスチックまたはＰＥＴボトル、可塑化受容器、及び金属缶等の異なる種類の容器内で利用可能であるが、それによって、加工及びボトル詰めの間、空及び／または充填された容器が供される工業プロセスの異なる段階中に、一般にステンレススチールまたはプラスチックで作製されたコンベヤチェーンを使用してそれらを１つの場所から別の場所に運搬することが必要であり、これは、コンベヤチェーンと容器との間、コンベヤチェーンの構成要素間の一定の摩擦、及び運搬中の容器間の互いの衝突を招く。
【０００４】
制御されない摩擦、またはコンベヤチェーンの装備の不十分な潤滑の結果、容器が倒れる、もしくは通路を閉塞する（それにもかかわらずコンベヤチェーンは動作し続ける）、または別様にはより多くの騒音を発生させる、及びプロセスの後続段階、例えば充填またはラベル貼り段階への容器のフィードまたは供給における不連続性といった、一連の好ましくない状況が生じ得る。したがって、これらの状況は、プロセスの段階における低い性能をもたらし、コンベヤチェーンの磨耗の促進を生じさせ、モータの容量に負荷を与える可能性があり、これらは全て不適切な潤滑に起因する。
【０００５】
そのような状況において摩擦を制御する必要性に対する従来の解決策は、水性希釈潤滑剤溶液（すなわち、１００：１から５００：１の希釈比）を形成するために水で希釈される濃縮潤滑剤（多くの場合石鹸系または脂肪アミン）の使用を含み、典型的には大量の水性希釈潤滑剤溶液が、スプレーまたはポンプ機器を使用してコンベヤまたは容器に適用される。これらの潤滑剤溶液は、コンベヤの高速動作を可能にし、容器またはラベルの損傷を制限するが、同時にいくつかの欠点を有する。まず、希釈水性潤滑剤は、典型的には、移送ラインにおいて多量の水の使用を必要とし、これは次いで廃棄またはリサイクルされなければならず、またコンベヤライン付近に過度の湿潤環境をもたらす。第２に、いくつかの水性潤滑剤は、微生物の増殖を促進し得る。第３に、濃縮潤滑剤の希釈を必要とすることにより、希釈誤差が生じ、水性希釈潤滑剤溶液の濃度のばらつき及び誤差をもたらし得る。最後に、プラントが水を必要とすることにより、水のばらつきが希釈潤滑溶液にマイナスの副次的影響を与える可能性がある。
【０００６】
水性希釈潤滑剤溶液が使用される場合、これは、典型的にはコンベヤが作動している時間の少なくとも半分において適用され、通常連続的に適用される。水性希釈潤滑剤溶液を連続的に流すことにより、必要以上の潤滑剤が使用され、潤滑剤濃縮物ドラムは、必要以上に頻繁に交換される必要がある。
【０００７】
「乾燥潤滑剤」は、希釈水性潤滑剤のこれらの欠点に対する解決策として説明されており、希釈なしで容器またはコンベヤに適用された５０％未満の水を含む潤滑剤組成物を指す。しかしながら、この適用は、典型的には、特別な分配機器及びノズル、特に付勢ノズルを必要としていた。付勢ノズルは、潤滑剤を送達するための高圧、圧縮空気、または超音波を含み得るエネルギーの使用により、潤滑剤ストリームが微細液滴のスプレーに分断されるノズルを指す。シリコーン材料は、最も知られた「乾燥潤滑剤」である。しかしながら、シリコーンは、主にＰＥＴボトル等のプラスチックを潤滑するのに効果的であり、ガラスまたは金属容器、特に金属表面の潤滑にはより効果的ではないことが観察されている。プラントが１つのライン上で２種類以上の容器を流している場合、コンベヤ潤滑剤は、新しい種類の容器が流され得る前に切り替えられる必要がある。代替として、プラントが異なるライン上で異なる種類の容器を流している場合、プラントは、２種類以上のコンベヤ潤滑剤をストックする必要がある。両方のシナリオが時間を要し、プラントには非効率的である。
【発明の概要】
【発明が解決しようとする課題】
【０００８】
この背景に対して、本発明が考案された。
【０００９】
本発明の目的は、様々な材料に好適な、及び汚れた適用ゾーンにおける潤滑の維持に好適な乾燥潤滑剤を提供することである。
【００１０】
本発明のさらなる目的は、様々な容器及びコンベヤ材料と共に使用され得る「汎用」潤滑剤を提供することである。
【００１１】
本発明の他の目的、利点及び特徴は、添付の図面と併せて考慮される以下の明細から明らかとなる。
【課題を解決するための手段】
【００１２】
本発明の利点は、金属（ステンレススチール）及びプラスチックコンベヤと共に様々な容器の表面上で好適となりながら、約０．２未満の摩擦係数を維持する潤滑剤の、完全乾燥式または半乾燥式適用である。潤滑剤は、例えば漏れが発生し、洗浄される前の汚れた適用ゾーンに提供されることが、本発明のさらなる利点である。さらに、水の消費が低減または排除されることが、本発明のさらなる利点である。
【００１３】
一実施形態において、本発明は、乾燥潤滑剤組成物であって、一つ又は複数の脂肪酸と；一つ又は複数の炭化水素と；一つ又は複数のソルビタンエステルと；一つ又は複数のポリグリコールと；一つ又は複数の非イオン性界面活性剤とを含む乾燥潤滑剤組成物を提供する。一態様において、乾燥潤滑剤組成物は、水を実質的に含まない。さらなる態様において、乾燥潤滑剤組成物は、金属及びプラスチックコンベヤの潤滑を提供する。さらなる態様において、乾燥潤滑剤組成物は、約０．２未満の摩擦係数を提供する。
【００１４】
一実施形態において、本発明は、乾燥潤滑剤組成物であって、約０．１質量％から約２５質量％のＣ６〜Ｃ２２脂肪酸と；約１質量％から約９５質量％の鉱物油と；約０．０１質量％から約１５質量％のソルビタンエステルと；約０．００１質量％から約１０質量％のポリグリコールと；約０．１質量％から約２０質量％の非イオン性界面活性剤とを含む乾燥潤滑剤組成物を提供する。一態様において、乾燥潤滑剤組成物は、水を実質的に含まず、金属及びプラスチックコンベヤに潤滑性を提供し、約０．２未満の摩擦係数を提供する。
【００１５】
一実施形態において、本発明は、表面を潤滑する方法であって、本発明の乾燥潤滑剤組成物を、乾燥式または半乾燥式潤滑で、直接適用にて表面に適用することと；摩擦係数を約０．２未満に維持しながら表面上に潤滑層またはフィルムを形成することとを含む方法を提供する。一態様において、表面は、金属及び／もしくはプラスチックコンベヤチェーン、または金属及び／もしくはプラスチックコンベヤチェーンと接触した容器である。
【００１６】
複数の実施形態が開示されるが、本発明のさらに他の実施形態が、本発明の例示的実施形態を示し説明する以下の発明を実施するための形態から、当業者に明らかとなる。したがって、図面及び発明を実施するための形態は、本来は例示的であり、限定的ではないものとしてみなされるべきである。
【図面の簡単な説明】
【００１７】
【図１Ａ】（１Ａ）ガラス、（１Ｂ）アルミニウム、及び（１Ｃ）ＰＥＴ容器に対するステンレススチールコンベヤ上での使用における、陽性及び陰性対照と比較した本発明の一実施形態による配合物の潤滑有効性を示す図である。
【図１Ｂ】（１Ａ）ガラス、（１Ｂ）アルミニウム、及び（１Ｃ）ＰＥＴ容器に対するステンレススチールコンベヤ上での使用における、陽性及び陰性対照と比較した本発明の一実施形態による配合物の潤滑有効性を示す図である。
【図１Ｃ】（１Ａ）ガラス、（１Ｂ）アルミニウム、及び（１Ｃ）ＰＥＴ容器に対するステンレススチールコンベヤ上での使用における、陽性及び陰性対照と比較した本発明の一実施形態による配合物の潤滑有効性を示す図である。
【図２Ａ】（２Ａ）ガラス、（２Ｂ）アルミニウム、及び（２Ｃ）ＰＥＴ容器に対するデルリン（プラスチック）コンベヤ上での使用における、陽性及び陰性対照と比較した本発明の一実施形態による配合物の潤滑の有効性を示す図である。
【図２Ｂ】（２Ａ）ガラス、（２Ｂ）アルミニウム、及び（２Ｃ）ＰＥＴ容器に対するデルリン（プラスチック）コンベヤ上での使用における、陽性及び陰性対照と比較した本発明の一実施形態による配合物の潤滑の有効性を示す図である。
【図２Ｃ】（２Ａ）ガラス、（２Ｂ）アルミニウム、及び（２Ｃ）ＰＥＴ容器に対するデルリン（プラスチック）コンベヤ上での使用における、陽性及び陰性対照と比較した本発明の一実施形態による配合物の潤滑の有効性を示す図である。
【図３Ａ】（３Ａ）測定開始時、（３Ｂ）潤滑剤で７日後、及び（３Ｃ）潤滑剤で１４日後における、濃縮物及び０．２％乾燥潤滑剤を含む本発明の実施形態による乾燥潤滑剤配合物を使用した、ＰＥＴ応力亀裂評価の写真を示す図である。
【図３Ｂ】（３Ａ）測定開始時、（３Ｂ）潤滑剤で７日後、及び（３Ｃ）潤滑剤で１４日後における、濃縮物及び０．２％乾燥潤滑剤を含む本発明の実施形態による乾燥潤滑剤配合物を使用した、ＰＥＴ応力亀裂評価の写真を示す図である。
【図３Ｃ】（３Ａ）測定開始時、（３Ｂ）潤滑剤で７日後、及び（３Ｃ）潤滑剤で１４日後における、濃縮物及び０．２％乾燥潤滑剤を含む本発明の実施形態による乾燥潤滑剤配合物を使用した、ＰＥＴ応力亀裂評価の写真を示す図である。
【図４Ａ】潤滑剤で１４日後における、濃縮物（４Ａ）及び０．２％乾燥潤滑剤（４Ｂ）を含む返却可能なＰＥＤ容器に対する本発明の実施形態による乾燥潤滑剤配合物を使用した、ＰＥＴ応力亀裂評価の写真を示す図である。
【図４Ｂ】潤滑剤で１４日後における、濃縮物（４Ａ）及び０．２％乾燥潤滑剤（４Ｂ）を含む返却可能なＰＥＤ容器に対する本発明の実施形態による乾燥潤滑剤配合物を使用した、ＰＥＴ応力亀裂評価の写真を示す図である。
【００１８】
図面を参照して本発明の様々な実施形態を詳細に説明するが、いくつかの図を通して、同様の参照番号は同様の部分を表す。様々な実施形態への言及は、本発明の範囲を限定しない。本明細書において示される図は、本発明による様々な実施形態の限定ではなく、本発明の例示的説明のために示される。
【発明を実施するための形態】
【００１９】
本発明の実施形態は、特定の乾燥または半乾燥潤滑剤組成物、及びそれらを使用する方法に限定されず、様々となり得、当業者に理解される。さらに、本明細書において使用される全ての専門用語は、具体的実施形態を説明することのみを目的とし、いかなる様式または範囲においても限定を意図しないことを理解されたい。例えば、本明細書及び添付の特許請求の範囲において使用される場合、単数形「ａ」、「ａｎ」及び「ｔｈｅ」は、文脈により異なる定義が明示されない限り、複数形の呼称を含み得る。さらに、全ての単位、接頭辞及び符号は、そのＳＩで認められた形式で示され得る。
【００２０】
本明細書内で列挙される数値範囲は、画定された範囲内の数字を含む。本開示全体にわたり、本発明の様々な態様が範囲形式で示される。範囲形式での説明は、単に利便性及び簡潔性のためのものであり、本発明の範囲の柔軟性のない限定として解釈されるべきではない。したがって、範囲の説明は、具体的に開示された全ての可能な部分範囲、及びその範囲内の個々の数値を有するように考慮されるべきである（例えば、１から５は、１、１．５、２、２．７５、３、３．８０、４、及び５を含む）。
【００２１】
本発明がより容易に理解され得るように、ある特定の用語がまず定義される。別段の定義がなされない限り、本明細書において使用される全ての技術用語及び科学用語は、本発明の実施形態が関連する技術分野の当業者により一般に理解されるのと同じ意味を有する。本明細書において開示されるものと同様の、それが変更された、またはそれと同等の多くの方法及び材料が、過度の実験を行うことなく本発明の実施形態の実践に使用することができるが、好ましい材料及び方法が本明細書に記載される。本発明の実施形態を説明及び請求する上で、以下に記載される定義に従って以下の専門用語が使用される。
【００２２】
用語「約」は、本明細書において使用される場合、例えば現実世界において濃縮物または使用溶液の作製に使用される典型的な測定及び液体取扱い手順；それらの手順における不慮の誤差；組成物の作製または方法の実行に使用される材料の製造、供給源または純度の違い等によって生じ得る、数量のばらつきを指す。用語「約」はまた、特定の初期混合物から得られる組成物の異なる平衡条件に起因して異なる量を包含する。用語「約」により修飾されるか否かにかかわらず、特許請求の範囲は、その量の当量を含む。
【００２３】
用語「活性物質」または「活性物質のパーセント」または「活性物質の重量によるパーセント」または「活性物質濃度」は、本明細書において同義的に使用され、水または塩等の不活性材料を引いたパーセンテージとして表現される洗浄に関与する材料の濃度を指す。
【００２４】
用語「硬質表面」は、カウンタートップ、タイル、床、壁、パネル、窓、衛生器具、台所及び浴室用の器具、電化製品、エンジン、回路板、及び皿等の、固体の実質的に非柔軟性の表面を指す。硬質表面は、例えば、ヘルスケア表面及び食品加工表面を含み得る。
【００２５】
本明細書において使用される場合、用語「ポリマー」は、一般に、これらに限定されないが、ホモポリマー、コポリマー、例えばブロック、グラフト、ランダム及び交互コポリマー等、ターポリマー、ならびにより高次の「ｘ」量体を含み、それらの誘導体、組み合わせ及びブレンドをさらに含む。さらに、別段に具体的に限定されない限り、用語「ポリマー」は、これらに限定されないが、アイソタクチック、シンジオタクチック及びランダム対称、ならびにそれらの組み合わせを含む、分子の全ての可能な異性体構成を含むものとする。さらに、別段に具体的に限定されない限り、用語「ポリマー」は、分子の全ての可能な幾何学構成を含むものとする。
【００２６】
本特許出願の目的において、微生物数が少なくとも約５０％、または水での洗浄により達成されるものをはるかに超える量で低減される場合、微生物低減の成功が達成される。微生物数のより大きな低減は、より高いレベルの保護を提供する。抗微生物性の「殺〜」または「静〜」活性の区別、有効性の程度を説明する定義、及びこの有効性を測定するための公式の実験室プロトコルが、抗微生物薬及び組成物の関連性を理解するための考慮点である。抗微生物組成物は、２種類の微生物細胞損傷に影響し得る。第１は、完全な微生物細胞破壊または無力化をもたらす、致死性の不可逆的作用である。第２の種類の細胞損傷は、生物が薬剤不含環境に置かれた場合再び増殖することができるような可逆性を有する。前者は殺微生物、後者は静微生物と呼ばれる。消毒剤及び殺菌剤は、定義によれば、抗微生物または殺微生物活性を提供する薬剤である。一方、保存剤は、一般に、阻害剤または静微生物組成物として説明される。
【００２７】
本明細書において使用される場合、用語「実質的に含まない」は、完全にその成分を有さない、または、その成分が組成物の性能に影響しない程度の少量の成分を有する組成物を指す。成分は、不純物または汚染物として存在してもよく、０．５質量％未満であるものとする。別の実施形態において、成分の量は、０．１質量％未満であり、さらに別の実施形態において、成分の量は、０．０１質量％未満である。好ましい態様において、乾燥潤滑剤は、水を実質的に含まない。
【００２８】
本明細書において使用される場合、用語「水」は、食品加工用または運搬用の水を含む。食品加工または運搬用の水は、農作物運搬用水（例えば、水路、パイプ輸送、カッター、スライサー、ブランチャー、レトルトシステム、洗浄機等において見られるもの）、食品運搬ライン用のベルトスプレー、ブーツ及びハンドウォッシュ浸漬パン、第３シンク濯ぎ水等を含む。水はまた、家庭用及びレクリエーション用水、例えばプール、スパ、レクリエーション用水路及びウォータースライド、噴水等を含み得る。
【００２９】
用語「水溶性」及び「水分散性」は、本明細書において使用される場合、ポリマーが本発明の組成物中の水に対して可溶性または分散性であることを意味する。一般に、ポリマーは、２５℃において、０．０００１重量％の水溶液及び／または水担体の濃度で、好ましくは０．００１％、より好ましくは０．０１％、最も好ましくは０．１％で可溶性または分散性となるべきである。
【００３０】
用語「重量パーセント」、「質量％」、「重量によるパーセント」、「重量％」、及びそれらの変化形は、本明細書において使用される場合、物質の重量を組成物の総重量で除し、１００を乗じたものとしてのその物質の濃度を指す。本明細書において使用される場合、「パーセント」、「％」等は、「重量パーセント」、「質量％」等と同義であることを意図することが理解される。
【００３１】
本発明の方法及び組成物は、本発明の成分及び材料、ならびに本明細書に記載の他の材料を含む、本質的にそれらからなる、またはそれらからなってもよい。本明細書において使用される場合、「本質的に〜からなる」は、方法及び組成物が、追加的なステップ、成分または材料を含んでもよいことを意味するが、但し、追加的なステップ、成分または材料が、請求される方法、システム、装置、及び組成物の基本的及び新規な特徴を大きく改変しない場合に限る。
【００３２】
実施形態
本発明による潤滑剤組成物の例示的範囲を、表１において、濃縮乾燥潤滑剤組成物の重量パーセントで示す。
【表１】
0006669854.tif 000002
【００３３】
乾燥潤滑剤組成物は、約５から７、好ましくは約６から７のｐＨを有する。
【００３４】
乾燥潤滑剤組成物は、０から約１００、好ましくは約２５から約１００、好ましくは約２５から約５０の粘度（ｓｐ３  ２０ｒｍｐ（ｃｐｓ））を有する。
【００３５】
組成物は、水または別の溶媒に曝露されると、使用される親油性鉱物油または成分、及び組成物を「水混和性」にする乳化剤の結果、水中油分散液を形成し、すなわち、組成物は、水と組み合わされた場合、安定な溶液、エマルションまたは懸濁液が形成されるように、十分に水溶性または水分散性となる。所望の使用レベルは、特定のコンベヤまたは容器の用途に従って、ならびに使用される鉱物油、脂肪酸、及び他の化合物に従って変動する。これは、水性洗浄組成物を使用して容易に除去されない従来の鉱物油組成物とは反対に、乾燥潤滑剤組成物が水性洗浄組成物を用いた洗浄によりコンベヤ表面から容易に除去され得るため、有益な特性である。一態様において、これは、高圧、機械的研磨、または侵食性の洗浄用化学薬品の使用の必要性なしに、従来の水性洗浄剤を使用して容器またはコンベヤからコーティングが除去され得るように、十分に水に可溶性または分散性である。しかしながら、配合物からの水を除く乾燥潤滑剤は、ボトル詰めプロセス中に通常存在する水またはこぼれた飲料と遭遇した際にコンベヤから流れ出るほどは水溶性ではない。
【００３６】
乾燥潤滑剤組成物は、濃縮組成物として提供され、または希釈されて半乾燥用途にすぐに使用可能な組成物を形成してもよい。一般に、濃縮物は、対象に接触して所望の潤滑、洗浄等を提供する使用溶液を提供するための水または他の溶媒を有さない（またはまだそれで希釈されていない）組成物を指す。潤滑される物品または表面に接触する乾燥潤滑剤組成物は、本発明による方法に使用される配合物に依存して、濃縮物または使用組成物（もしくは使用溶液）と呼ぶことができる。乾燥潤滑剤組成物中の活性成分の濃度は、組成物が濃縮物として、または例えば半乾燥用途における希釈組成物として提供されるか否かに依存して変動することが理解されるべきである。
【００３７】
好ましい態様において、乾燥潤滑剤は、希釈されない配合物における使用に適用される。さらなる態様において、乾燥潤滑剤組成物は、水を実質的に含まない。好ましくは、乾燥潤滑剤組成物は、１質量％未満の水、または０．５質量％未満の水を有する。別の実施形態において、水の量は、０．１質量％未満であり、さらに別の実施形態において、水の量は、０．０１質量％未満である。本明細書において言及される水の量は、乾燥潤滑剤配合物への任意の添加される水、及び好ましくは配合物の成分からの任意の添加水も含む。
【００３８】
半乾燥適用を提供するための本発明による乾燥潤滑剤の所望の希釈は、水中油分散液を提供し、その濃度は、約０．０１％から約５％、好ましくは約０．１％から約１％、またはより好ましくは約０．１％から約０．５％で変動し得、より好ましくは約０．２％である。本発明の一態様において、水は、半乾燥用途における使用のためのすぐに使用可能な配合物を形成するための溶媒として使用され、当業者には、潤滑剤の特定の用途の性能の考慮点が、濃度に影響を与えることが確認される。乾燥潤滑剤の希釈適用のための例示的希釈範囲は、約１００：１から５００：１であり、有益には極度に高い希釈が可能である（例えば米国特許第６，２０７，６２２号において開示される従来の希釈剤とは異なる）。希釈潤滑剤組成物（またはすぐに使用可能な配合物）を使用するそのような用途において、希釈用水を定量または注入するために、好ましくは流量計が設置される。
【００３９】
有益には、乾燥潤滑剤組成物は、組成物がコンベヤ（または容器）に適用された後にＣＯＦの減少を示し、コンベヤ（または容器）上で乾燥を維持する。一実施形態において、本組成物は、組成物がコンベヤに適用された後に効果的な潤滑を維持し、コンベヤ上で乾燥を維持する。本発明は、コーティングされたコンベヤ部品及び容器の摩擦係数を低減し、それによりコンベヤラインに沿った容器の移動を促進する潤滑剤コーティングを提供する。一実施形態において、潤滑剤は、摩擦係数を約０．４未満、約０．２未満、約０．１５未満、約０．１２未満、好ましくは約０．１未満に維持する。
【００４０】
さらなる利益として、乾燥潤滑剤組成物は、詰め替え不可能なＰＥＴボトル及び／またはバリア性ボトル、例えば、ＰＥＴ応力亀裂試験を用いて決定されるような、炭酸飲料と共に使用されるものに適合する。さらなる実施形態において、乾燥潤滑剤組成物は、詰め替え可能なボトルに対するＰＥＴ応力亀裂試験を用いて決定されるような、炭酸飲料に有用な詰め替え可能ＰＥＴボトルに適合する。例えば、乾燥潤滑剤組成物は、そのような試験においてＡまたはＢのグレードとなる。一例において、本組成物は、そのような試験において、Ａのグレードとなり得る。
【００４１】
炭化水素−鉱物油
潤滑剤組成物は、１種または複数種の鉱物油または炭化水素であってもよい溶媒を含む。代替例において、溶媒は、鉱物油もしくは炭化水素、及び脂肪族、例えばベンゼン、またはそれらの混合物であってもよい。飽和脂肪族炭化水素は、直鎖または枝状であってもよく、例えば一般式ＣｎＨ２ｎ＋２のアルカン、例えばヘプタン、オクタン、ノナン、デカン、ペンタデカン、一般式ＣｎＨ２ｎのアルケン、例えばエタン、プロペン、ブタン、ペンテン、及び一般式ＣｎＨ２ｎ−２のアルキン、例えばエチン、プロピン、ブタン、ペンテンが存在してもよい。
【００４２】
一態様において、好ましい脂肪族炭化水素は、高純度の鉱物油、例えば白色鉱物油等を含む。一態様において、好ましいベンゼン炭化水素は、例えば、一般式ＣｎＨ２ｎ−６のもの、例えばベンゼン、トルエン、キシレン、及び異性体を含む。
【００４３】
一態様において、組成物は、約１質量％〜９５質量％の鉱物油、約１０質量％〜９０質量％の鉱物油、約２５質量％〜９０質量％の鉱物油、好ましくは約５０質量％〜９０質量％の鉱物油、より好ましくは約７０質量％〜８５質量％の鉱物油を含む。さらに、本発明により限定されることなく、列挙される全ての範囲は、範囲を画定する数字を含み、画定された範囲内の各整数を含む。
【００４４】
有益には、乾燥潤滑剤組成物の鉱物油もしくは炭化水素基本材料または溶媒は、多くの潤滑剤組成物中に使用されているような潤滑剤組成物用の水及び／またはポリアルキルグリコール基本成分の必要性を置き換える。例えば、潤滑剤の８５質量％までの親水性材料（ケイ素エマルション及びグリセロール）材料を使用する米国特許第６，２０７，６２２号、潤滑剤の５０質量％までのポリアルキルグリコール材料を使用する米国特許出願公開第２００８／０２４２５６７号、及び潤滑剤の５０質量％までのポリルアルキレン−グリコール材料を使用する米国特許出願公開第２０１０／０２９２１１１号を参照されたい。有益には、親水性材料を鉱物油または炭化水素基本材料と置き換えることにより、濯ぎ及び製品漏れのエリアを含めた改善された潤滑が提供される。
【００４５】
脂肪酸
潤滑剤組成物は、脂肪酸成分を含む。脂肪酸は、潤滑剤の潤滑性を増加させ、有益には組成物が金属、ガラス、可塑化ボトル等の様々な材料の容器内で使用されるのを可能にする一つ又は複数の脂肪酸である。脂肪酸は、完全に飽和した直線鎖を有する最も単純な構成である、末端カルボン酸基を有するアルキド鎖からなる。脂肪酸は、短鎖、中鎖、及び長鎖の脂肪酸に、またその飽和グレードにより飽和及び不飽和に分類され、一方後者は単不飽和脂肪酸及び多価不飽和酸に分けられる。
【００４６】
一態様において、脂肪酸は、飽和、不飽和または置換された８から２２個の炭素原子の直線鎖を有する。例示的な飽和脂肪酸は、例えば、８個の炭素原子のカプリル酸、１０個の炭素原子のカプリン酸、１１個の炭素原子のウンデシル酸、１２個の炭素原子のラウリン酸、１３個の炭素原子のトリデシル酸、１４個の炭素原子のミリスチン酸、１６個の炭素原子のパルミチン酸、１８個の炭素原子のステアリン酸を含み；単不飽和脂肪酸のうち、例えば、１２個の炭素原子のラウロレイン酸、１４個の炭素原子のミリストレイン酸、１６個の炭素原子のパルミトレイン酸、及び好ましくは１８個の炭素原子のオレイン酸が存在してもよく；多価不飽和脂肪酸のうち、例えば、１８個の炭素原子のリノール酸（脱不飽和）及び１８個の炭素原子のリノレン酸（三不飽和）が存在してもよく、また置換脂肪酸のうち、例えば、水酸化物で置換された１８個の炭素原子のリシノール酸が存在してもよい。
【００４７】
一態様において、グリース及び油からの誘導体等の混合脂肪酸、例えば、ヤシ油からの脂肪酸、または液体樹脂からの脂肪酸が、本発明の潤滑剤組成物において使用されてもよい。
【００４８】
一態様において、組成物は、約０．１質量％〜２５質量％の脂肪酸、約１質量％〜２０質量％の脂肪酸、約１質量％〜１５質量％の脂肪酸、好ましくは約２質量％〜１５質量％の脂肪酸、より好ましくは約５質量％〜１０質量％の脂肪酸を含む。さらに、本発明により限定されることなく、列挙される全ての範囲は、範囲を画定する数字を含み、画定された範囲内の各整数を含む。
【００４９】
ソルビタンエステル
潤滑剤組成物は、親油性の特徴を有する非イオン性乳化剤を含む。有益には、バランスのとれた親油性能及び親水性能を有する油中水のエマルションが、非イオン性乳化剤、すなわちソルビタンエステルの使用により調合される。この場合、乳化剤の種類がエマルションの安定化において重要な役割を果たし、好ましくはソルビタンエステル及びエトキシル化ソルビタンエステルにより構成される系を含む群から選択される。
【００５０】
一態様において、ソルビタンエステルは、例えば、ソルビタンモノオレエート、ソルビタンモノラウレート、ソルビタンモノエステアレート、ソルビタントリエステアレート、１４から４０エチレンオキシドモルを有するポリオキシエチレン化ソルビタントリオレエート、１１から４０モルのエチレンオキシドのエトキシル化ソルビタンモノラウレート、４８０から１２００の間に含まれる分子量を有するポリエチレングリコールモノオレエート、及び６から５０モルのエチレンオキシドのエトキシル化ノニルフェノールを含む。
【００５１】
例示的なソルビタンエステルは、例えば、ＴＷＥＥＮ（商標）シリーズ２０、４０、６０、８０及び８５のポリオキシエチレンソルビタンモノオレエート、ならびにＳＰＡＮ（商標）シリーズ２０、８０、８３及び８５のソルビタンエステルを含む。
【００５２】
一態様において、組成物は、約０．０１質量％〜１５質量％のソルビタンエステル、約０．１質量％〜１０質量％のソルビタンエステル、約１質量％〜１０質量％のソルビタンエステル、約０．１質量％〜５質量％のソルビタンエステル、好ましくは約１質量％〜５質量％のソルビタンエステルを含む。さらに、本発明により限定されることなく、列挙される全ての範囲は、範囲を画定する数字を含み、画定された範囲内の各整数を含む。
【００５３】
ヒドロキシ含有潤滑剤
潤滑剤組成物は、ポリオール（例えば、グリセロール及びプロピレングリコール）；ポリアルキレングリコール（例えば、ポリエチレン及びメトキシポリエチレングリコール）；ならびに／またはエチレン及びプロピレンオキシドの直鎖コポリマー等のヒドロキシ含有化合物である水混和性潤滑剤を含む。好ましくは、ヒドロキシ含有化合物は、ポリグリコールのポリマーまたはコポリマーである。一態様において、コポリマーは、ポリグリコール、特に水に可溶な高分子量のポリアルキレン−グリコールまたは任意の他のポリアルキレン−グリコールオキシドのブロックである。ポリアルキレン−グリコールは、以下の一般構造を有する。
【化１】
0006669854.tif 000003
式中、Ｒ１は、水素、またはＣ１〜Ｃ４のアルキルであり；Ｒ２は、水素、メチル、またはそれらの混合物であり；ｎは、自然数である。
【００５４】
一態様において、Ｒ２が水素である場合、これらの材料は、ポリエチレングリコールとしても知られるエチレンオキシドのポリマーである。Ｒ２がメチルである場合、これらの材料は、ポリプロピレングリコールとしても知られるプロピレンオキシドのポリマーである。Ｒ２がメチルである場合、存在し得る最終的ポリマー位置の様々な異性体もまた含まれる。ポリアルキレン−グリコール、ポリエチレングリコール、ポリプロピレングリコール、及びそれらの組み合わせは、本発明の潤滑剤におけるそれらの使用に好ましい。一態様において、ポリエチレングリコールは、潤滑剤組成物に特に好ましいポリル（ｐｏｌｙｌ）グリコールである。
【００５５】
一態様において、組成物は、約０．００１質量％〜１０質量％のポリルグリコール、約０．０１質量％〜１０質量％のポリルグリコール、約０．１質量％〜１０質量％のポリルグリコール、約０．１質量％〜５質量％のポリルグリコール、好ましくは約１質量％〜５質量％のポリルグリコールを含む。さらに、本発明により限定されることなく、列挙される全ての範囲は、範囲を画定する数字を含み、画定された範囲内の各整数を含む。
【００５６】
非イオン性界面活性剤
いくつかの実施形態において、本発明の組成物は、潤滑剤組成物の乳化を補助するのに好適な非イオン性界面活性剤を含む。一態様において、組成物は、約０．１質量％〜２０質量％の非イオン性界面活性剤、約０．５質量％〜１５質量％の非イオン性界面活性剤、約１質量％〜１０質量％の非イオン性界面活性剤、好ましくは約１質量％〜５質量％の非イオン性界面活性剤を含む。さらに、本発明により限定されることなく、列挙される全ての範囲は、範囲を画定する数字を含み、画定された範囲内の各整数を含む。
【００５７】
有用な非イオン性界面活性剤は、一般に、有機疎水基及び有機親水基の存在を特徴とし、典型的には、有機脂肪族、アルキル芳香族またはポリオキシアルキレン疎水性化合物の、慣例的にはエチレンオキシドまたはその多水和生成物、ポリエチレングリコールである親水性アルカリ酸化物部分との縮合により生成される。実際には、反応性水素原子を有するヒドロキシル、カルボキシル、アミノ、またはアミド基を有する任意の疎水性化合物が、エチレンオキシド、またはその多水和付加物、またはプロピレンオキシド等のアルコキシレンとのその混合物と縮合して、非イオン性表面活性剤を形成し得る。任意の特定の疎水性化合物と縮合する親水性ポリオキシアルキレン部分の長さは、親水性特性と疎水性特性との間の所望の程度のバランスを有する水分散性または水溶性化合物を生成するように、容易に調節され得る。有用な非イオン性界面活性剤は、以下を含む。
【００５８】
１．開始剤反応性水素化合物としてのプロピレングリコール、エチレングリコール、グリセロール、トリメチロールプロパン、及びエチレンジアミンをベースとしたブロックポリオキシプロピレン−ポリオキシエチレンポリマー化合物。開始剤の逐次的プロポキシル化及びエトキシル化から作製されるポリマー化合物の例は、ＢＡＳＦ  Ｃｏｒｐから市販されている。化合物の１つのクラスは、エチレンオキシドを、プロピレンオキシドをプロピレングリコールの２つのヒドロキシル基に付加することにより形成される疎水性塩基と縮合させることにより形成される、二官能性（２つの反応性水素）化合物である。分子のこの疎水性部分は、約１，０００から約４，０００の分子量を有する。次いで、エチレンオキシドは、この疎水性物質を親水基の間に挟み込むように付加され、最終的な分子の約１０重量％から約８０重量％を構成するように長さにより制御される。化合物の別のクラスは、プロピレンオキシド及びエチレンオキシドのエチレンジアミンへの逐次的付加から得られる三官能性ブロックコポリマーである。プロピレンオキシドハイドロタイプ（ｈｙｄｒｏｔｙｐｅ）の分子量は、約５００から約７，０００の範囲であり；親水性のエチレンオキシドは、分子の約１０重量％から約８０重量％を構成するように付加される。
【００５９】
２．直鎖もしくは分岐鎖構成の、または単一もしくは二重アルキル構成物質のアルキル鎖が約８から約１８個の炭素原子を含有する１モルのアルキルフェノールの、約３から約５０モルのエチレンオキシドとの縮合生成物。アルキル基は、例えば、ジイソブチレン、ジ−アミル、重合プロピレン、イソ−オクチル、ノニル、及びジ−ノニルにより代表され得る。これらの界面活性剤は、アルキルフェノールのポリエチレン、ポリプロピレン、及びポリブチレンオキシド縮合物であってもよい。この化学の商業的化合物の例は、Ｒｈｏｎｅ−Ｐｏｕｌｅｎｃ製のＩｇｅｐａｌ（登録商標）、及びＵｎｉｏｎ  Ｃａｒｂｉｄｅ製のＴｒｉｔｏｎ（登録商標）の商品名で市販されている。
【００６０】
３．約６から約２４個の炭素原子を有する、１モルの飽和または不飽和直鎖または分岐鎖アルコールの、約３から約５０モルのエチレンオキシドとの縮合生成物。アルコール部分は、上述された炭素範囲内のアルコールの混合物からなってもよく、または、この範囲内の特定の数の炭素原子を有するアルコールからなってもよい。同様の商業的界面活性剤の例は、ＢＡＳＦ製のＬｕｔｅｎｓｏｌ（商標）、Ｄｅｈｙｄｏｌ（商標）、Ｓｈｅｌｌ  Ｃｈｅｍｉｃａｌ  Ｃｏ．製のＮｅｏｄｏｌ（商標）、及びＶｉｓｔａ  Ｃｈｅｍｉｃａｌ  Ｃｏ．製のＡｌｆｏｎｉｃ（商標）の商品名で入手可能である。
【００６１】
４．約８から約１８個の炭素原子を有する、１モルの飽和または不飽和直鎖または分岐鎖カルボン酸の、約６から約５０モルのエチレンオキシドとの縮合生成物。酸部分は、上で画定された炭素原子範囲内の酸の混合物からなってもよく、または、この範囲内の特定の数の炭素原子を有する酸からなってもよい。この化学の商業的化合物の例は、ＢＡＳＦ製のＤｉｓｐｏｎｉｌまたはＡｇｎｉｑｕｅ、及びＬｉｐｏ  Ｃｈｅｍｉｃａｌｓ，Ｉｎｃ．製のＬｉｐｏｐｅｇ（商標）の商品名で市販されている。
【００６２】
一般にポリエチレングリコールエステルと呼ばれるエトキシル化カルボン酸に加えて、グリセリド、グリセリン、及び多価（サッカリドまたはソルビタン／ソルビトール）アルコールとの反応により形成される他のアルカン酸エステルが、本発明において特別な実施形態への用途、特に間接的食品添加剤用途を有する。これらのエステル部分は全て、その分子上に、これらの物質の親水性を制御するためにさらなるアシル化またはエチレンオキシド（アルコキシド）付加に供され得る１つ以上の反応性水素部位を有する。これらの脂肪エステルまたはアシル化炭水化物を、アミラーゼ及び／またはリパーゼ酵素を含有する本発明の組成物に添加する場合、不適合性の可能性のため、注意しなければならない。
【００６３】
非イオン性低発泡界面活性剤の例は、以下を含む。
【００６４】
５．エチレンオキシドをエチレングリコールに付加して指定の分子量の親水性物質を提供し；次いでプロピレンオキシドを付加して分子の外側（端部）に疎水性ブロックを得ることにより改質され、本質的に反転された（１）からの化合物。分子の疎水性部分は、約１，０００から約３，１００の分子量を有し、中心の親水性物質は、最終的な分子の１０重量％から約８０重量％を含む。これらの反転Ｐｌｕｒｏｎｉｃｓ（商標）は、ＢＡＳＦ  ＣｏｒｐｏｒａｔｉｏｎによりＰｌｕｒｏｎｉｃ（商標）Ｒ界面活性剤の商標で製造されている。同様に、Ｔｅｔｒｏｎｉｃ（商標）Ｒ界面活性剤は、ＢＡＳＦ  Ｃｏｒｐｏｒａｔｉｏｎにより、エチレンオキシド及びプロピレンオキシドのエチレンジアミンへの逐次的付加によって製造されている。分子の疎水性部分は、約２，１００から約６，７００の分子量を有し、中心の親水性物質は、最終的な分子の１０重量％から約８０重量％を含む。
【００６５】
６．プロピレンオキシド、ブチレンオキシド、塩化ベンジル等の疎水性小分子；及び１から約５個の炭素原子を含有する短鎖脂肪酸、アルコールまたはアルキルハロゲン化物；ならびにそれらの混合物との反応により発泡を低減するために、（多官能性部分の）末端ヒドロキシ基（複数可）を「キャッピング」または「端部ブロッキング」することにより改質された、グループ（１）、（２）、（３）及び（４）からの化合物。また、末端ヒドロキシ基を塩化物基に変換する塩化チオニル等の反応物質も含まれる。末端ヒドロキシ基へのそのような改質は、オールブロック、ブロック−ヘテリック（ｈｅｔｅｒｉｃ）、ヘテリック−ブロックまたはオールヘテリック非イオン性物質をもたらし得る。
【００６６】
効果的な低発泡非イオン性物質の追加的な例は、以下を含む。
【００６７】
７．以下の式により表わされる、１９５９年９月８日にＢｒｏｗｎらに対して発行された米国特許第２，９０３，４８６号のアルキルフェノキシポリエトキシアルカノール。
【化２】
0006669854.tif 000004
式中、Ｒは、８から９個の炭素原子のアルキル基であり、Ａは、３から４個の炭素原子のアルキレン鎖であり、ｎは、７から１６の整数であり、ｍは、１から１０の整数である。
【００６８】
末端疎水性鎖の分子量、中間疎水性単位の分子量、及び連結親水性単位の分子量がそれぞれ縮合物の約３分の１を占める、交互親水性オキシエチレン鎖及び疎水性オキシプロピレン鎖を有する、１９６２年８月７日にＭａｒｔｉｎらに対して発行された米国特許第３，０４８，５４８号のポリアルキレングリコール縮合物。
【００６９】
一般式Ｚ［（ＯＲ）ｎＯＨ］ｚ（式中、Ｚは、アルコキシル化可能な材料であり、Ｒは、エチレン及びプロピレンであってもよいアルキレンオキシドから得られるラジカルであり、ｎは、例えば、１０から２，０００またはそれ以上の整数であり、ｚは、反応性オキシアルキル化可能な基の数により決定される整数である）を有する、１９６８年５月７日にＬｉｓｓａｎｔらに対して発行された米国特許第３，３８２，１７８号において開示されている消泡性非イオン性界面活性剤。
【００７０】
式Ｙ（Ｃ３Ｈ６Ｏ）ｎ（Ｃ２Ｈ４Ｏ）ｍＨ（式中、Ｙは、約１から６個の炭素原子及び１個の反応性水素原子を有する有機化合物の残基であり、ｎは、ヒドロキシル価により決定されるような少なくとも約６．４の平均値を有し、ｍは、オキシエチレン部分が分子の約１０重量％から約９０重量％を構成するような値を有する）に対応する、１９５４年５月４日にＪａｃｋｓｏｎらに対して発行された米国特許第２，６７７，７００号に記載の共役ポリオキシアルキレン化合物。
【００７１】
式Ｙ［（Ｃ３Ｈ６Ｏｎ（Ｃ２Ｈ４Ｏ）ｍＨ］ｘ（式中、Ｙは、約２から６個の炭素原子を有し、ｘ個の反応性水素原子（ｘは、少なくとも約２の値を有する）を含有する有機化合物の残基であり、ｎは、ポリオキシプロピレン疎水性塩基の分子量が少なくとも約９００であるような値を有し、ｍは、分子のオキシエチレン含量が約１０重量％から約９０重量％であるような値を有する）を有する、１９５４年４月６日にＬｕｎｄｓｔｅｄらに対して発行された米国特許第２，６７４，６１９号に記載の共役ポリオキシアルキレン化合物。Ｙの定義の範囲内に含まれる化合物は、例えば、プロピレングリコール、グリセリン、ペンタエリスリトール、トリメチロールプロパン、エチレンジアミン等を含む。オキシプロピレン鎖は、任意選択で、但し有利には、少量のエチレンオキシドを含有し、オキシエチレン鎖もまた、任意選択で、但し有利には、少量のプロピレンオキシドを含有する。
【００７２】
本発明の組成物において有利に使用される追加的な共役ポリオキシアルキレン表面活性剤は、式：Ｐ［（Ｃ３Ｈ６Ｏ）ｎ  （Ｃ２Ｈ４Ｏ）ｍＨ］ｘ（式中、Ｐは、約８から１８個の炭素原子を有し、ｘ個の反応性水素原子（ｘは、１または２の値を有する）を含有する有機化合物の残基であり、ｎは、ポリオキシエチレン部分の分子量が少なくとも約４４であるような値を有し、ｍは、分子のオキシプロピレン含量が約１０重量％から約９０重量％であるような値を有する）に対応する。いずれの場合においても、オキシプロピレン鎖は、任意選択ではあるが有利には、少量のエチレンオキシドを含有してもよく、オキシエチレン鎖もまた、任意選択ではあるが有利には、少量のプロピレンオキシドを含有してもよい。
【００７３】
８．本組成物における使用に好適なポリヒドロキシ脂肪酸アミド界面活性剤は、構造式Ｒ２ＣＯＮＲ１Ｚ（式中、Ｒ１は、Ｈ、Ｃ１〜Ｃ４ヒドロカルビル、２−ヒドロキシエチル、２−ヒドロキシプロピル、エトキシ、プロポキシ基、またはそれらの混合であり；Ｒ２は、直鎖であってもよいＣ５〜Ｃ３１ヒドロカルビルであり；Ｚは、鎖に直接接続された少なくとも３つのヒドロキシルを有するヒドロカルビル直鎖を有するポリヒドロキシヒドロカルビル、またはそのアルコキシル化誘導体（好ましくはエトキシル化もしくはプロポキシル化）である）を有するものを含む。Ｚは、還元アミン化反応において還元糖から得られてもよく；例えばグリシチル部分である。
【００７４】
９．脂肪族アルコールの約０から約２５モルのエチレンオキシドとのアルキルエトキシレート縮合生成物は、本組成物における使用に好適である。脂肪族アルコールのアルキル鎖は、直鎖または分岐鎖であってもよく、１級または２級であってもよく、また一般に６から２２個の炭素原子を含有する。
【００７５】
１０．エトキシル化Ｃ６〜Ｃ１８脂肪アルコール及びＣ６〜Ｃ１８混合エトキシル化及びプロポキシル化脂肪アルコール、特に水溶性のものは、本組成物における使用に好適な界面活性剤である。好適なエトキシル化脂肪アルコールは、３から５０のエトキシル化度を有するＣ６〜Ｃ１８エトキシル化脂肪アルコールを含む。
【００７６】
１１．特に本組成物における使用に好適な非イオン性アルキルポリサッカリド界面活性剤は、１９８６年１月２１日に発行された米国特許第４，５６５，６４７号、Ｌｌｅｎａｄｏにおいて開示されているものを含む。これらの界面活性剤は、約６から約３０個の炭素原子を含有する疎水基、及び約１．３から約１０のサッカリド単位を含有するポリサッカリド、例えばポリグリコシド親水基を含む。５または６個の炭素原子を含有する任意の還元サッカリドが使用されてもよく、例えば、グルコース、ガラクトース及びガラクトシル部分がグルコシル部分と置換されてもよい。（任意選択で、疎水基が２−、３−、４−等の位置に結合し、グルコシドまたはガラクトシドとは対照的にグルコースまたはガラクトースを生成する。）サッカリド間の結合は、例えば、追加的なサッカリド単位の１つの位置と、その前のサッカリド単位上の２−、３−、４−、及び／または６−位との間であってもよい。
【００７７】
１２．本組成物における使用に好適な脂肪酸アミド界面活性剤は、式：Ｒ６ＣＯＮ（Ｒ７）２（式中、Ｒ６は、７から２１個の炭素原子を含有するアルキル基であり、各Ｒ７は、独立して、水素、Ｃ１〜Ｃ４アルキル、Ｃ１〜Ｃ４ヒドロキシアルキル、または−−（Ｃ２Ｈ４Ｏ）ＸＨ（式中、ｘは、１から３の範囲内である）を有するものを含む。
【００７８】
１３．非イオン性界面活性剤の有用なクラスは、アルコキシル化アミン、または、最も具体的には、アルコールアルコキシル化／アミノ化／アルコキシル化界面活性剤として定義されるクラスを含む。これらの非イオン性界面活性剤は、少なくとも部分的に、一般式：Ｒ２０−−（ＰＯ）ＳＮ−−（ＥＯ）ｔＨ、Ｒ２０−−（ＰＯ）ＳＮ−−（ＥＯ）ｔＨ（ＥＯ）ｔＨ、及びＲ２０−−Ｎ（ＥＯ）ｔＨ（式中、Ｒ２０は、アルキル、アルケニルもしくは他の脂肪族基、または８から２０個、好ましくは１２から１４個の炭素原子のアルキル−アリール基であり、ＥＯは、オキシエチレンであり、ＰＯは、オキシプロピレンであり、ｓは、１から２０、好ましくは２〜５であり、ｔは、１〜１０、好ましくは２〜５であり、ｕは、１〜１０、好ましくは２〜５である）により表され得る。これらの化合物の範囲における他の変形例は、代替の式：Ｒ２０−−（ＰＯ）Ｖ−−Ｎ［（ＥＯ）ｗＨ］［（ＥＯ）ｚＨ］（式中、Ｒ２０は、上で定義された通りであり、ｖは、１から２０（例えば、１、２、３、または４（好ましくは２））であり、ｗ及びｚは、独立して、１〜１０、好ましくは２〜５である）により表され得る。これらの化合物は、商業的には、非イオン性界面活性剤としてＨｕｎｔｓｍａｎ  Ｃｈｅｍｉｃａｌｓにより販売されている製品ラインにより代表される。このクラスの好ましい化学薬品は、Ｓｕｒｆｏｎｉｃ（商標）ＰＥＡ２５アミンアルコキシレートを含む。本発明の組成物に好ましい非イオン性界面活性剤は、アルコールアルコキシレート、ＥＯ／ＰＯブロックコポリマー、アルキルフェノールアルコキシレート等を含む。
【００７９】
論文Ｎｏｎｉｏｎｉｃ  Ｓｕｒｆａｃｔａｎｔｓ、Ｓｃｈｉｃｋ，Ｍ．  Ｊ．編、Ｓｕｒｆａｃｔａｎｔ  Ｓｃｉｅｎｃｅ  Ｓｅｒｉｅｓの第１巻、Ｍａｒｃｅｌ  Ｄｅｋｋｅｒ，Ｉｎｃ．、Ｎｅｗ  Ｙｏｒｋ、１９８３は、本発明の実践において一般的に使用される広範な非イオン性化合物に関する優れた参考文献である。非イオン性のクラス、及びこれらの界面活性剤の種の典型的なリストは、１９７５年１２月３０日にＬａｕｇｈｌｉｎ及びＨｅｕｒｉｎｇに対して発行された米国特許第３，９２９，６７８号に記載されている。さらなる例は、「Ｓｕｒｆａｃｅ  Ａｃｔｉｖｅ  Ａｇｅｎｔｓ  ａｎｄ  ｄｅｔｅｒｇｅｎｔｓ」（第Ｉ巻及び第ＩＩ巻、Ｓｃｈｗａｒｔｚ、Ｐｅｒｒｙ及びＢｅｒｃｈ著）に記載されている。
【００８０】
半極性非イオン性界面活性剤
半極性型の非イオン性表面活性剤は、本発明の組成物において有用な別のクラスの非イオン性界面活性剤である。一般に、半極性非イオン性物質は、高発泡物質及び泡安定剤であり、これはＣＩＰシステムにおけるそれらの適用を制限し得る。しかしながら、高発泡洗浄方法用に設計された本発明の組成上の実施形態において、半極性非イオン性物質は、即時的な実用性を有する。半極性非イオン性界面活性剤は、アミンオキシド、ホスフィンオキシド、スルホキシド及びそれらのアルコキシル化誘導体を含む。
【００８１】
１４．アミンオキシドは、以下の一般式に対応する３級アミンオキシドである。
【化３】
0006669854.tif 000005
式中、矢印は、半極性結合の従来の表現であり；Ｒ１、Ｒ２、及びＲ３は、脂肪族、芳香族、ヘテロ環式、脂環式、またはそれらの組み合わせであってもよい。一般に、洗浄剤関連のアミンオキシドの場合、Ｒ１は、約８から２４個の炭素原子のアルキルラジカルであり；Ｒ２及びＲ３は、１〜３個の炭素原子のアルキルもしくはヒドロキシアルキルまたはそれらの混合であり；Ｒ２及びＲ３は、例えば酸素または窒素原子を介して互いに結合し、環構造を形成してもよく；Ｒ４は、アルカリ、または２から３個の炭素原子を含有するヒドロキシアルキレン基であり；ｎは、０から約２０の範囲である。
【００８２】
有用な水溶性アミンオキシド界面活性剤は、ヤシまたはタロウアルキルジ−（低級アルキル）アミンオキシドから選択され、その具体例は、ドデシルジメチルアミンオキシド、トリデシルジメチルアミンオキシド、エトラデシル（ｅｔｒａｄｅｃｙｌ）ジメチルアミンオキシド、ペンタデシルジメチルアミンオキシド、ヘキサデシルジメチルアミンオキシド、ヘプタデシルジメチルアミンオキシド、オクタデシルジメチルアイン（ｄｉｍｅｔｈｙｌａｉｎｅ）オキシド、ドデシルジプロピルアミンオキシド、テトラデシルジプロピルアミンオキシド、ヘキサデシルジプロピルアミンオキシド、テトラデシルジブチルアミンオキシド、オクタデシルジブチルアミンオキシド、ビス（２−ヒドロキシエチル）ドデシルアミンオキシド、ビス（２−ヒドロキシエチル）−３−ドデコキシ−１−ヒドロキシプロピルアミンオキシド、ジメチル−（２−ヒドロキシドデシル）アミンオキシド、３，６，９−トリオクタデシルジメチルアミンオキシド及び３−ドデコキシ−２−ヒドロキシプロピルジ−（２−ヒドロキシエチル）アミンオキシドである。
【００８３】
有用な半極性非イオン性界面活性剤はまた、以下の構造を有する水溶性ホスフィンオキシドを含む。
【化４】
0006669854.tif 000006
式中、矢印は、半極性結合の従来の表現であり；Ｒ１は、１０から約２４個の炭素原子の鎖長範囲のアルキル、アルケニルまたはヒドロキシアルキル部分であり；Ｒ２及びＲ３は、それぞれ、１から３個の炭素原子を含有するアルキルまたはヒドロキシアルキル基から別個の選択されるアルキル部分である。
【００８４】
有用なホスフィンオキシドの例は、ジメチルデシルホスフィンオキシド、ジメチルテトラデシルホスフィンオキシド、メチルエチルテトラデシルホスフィンオキシド、ジメチルヘキサデシルホスフィンオキシド、ジエチル−２−ヒドロキシオクチルデシルホスフィンオキシド、ビス（２−ヒドロキシエチル）ドデシルホスフィンオキシド、及びビス（ヒドロキシメチル）テトラデシルホスフィンオキシドを含む。
【００８５】
本明細書において有用な半極性非イオン性界面活性剤はまた、以下の構造を有する水溶性スルホキシド化合物を含む。
【化５】
0006669854.tif 000007
式中、矢印は、半極性結合の従来の表現であり；Ｒ１は、約８から約２８個の炭素原子のアルキルまたはヒドロキシアルキル部分、０から約５個のエーテル連結部、及び０から約２個のヒドロキシル置換基であり；Ｒ２は、１から３個の炭素原子を有するアルキル及びヒドロキシアルキル基からなるアルキル部分である。
【００８６】
これらのスルホキシドの有用な例は、ドデシルメチルスルホキシド；３−ヒドロキシトリデシルメチルスルホキシド；３−メトキシトリデシルメチルスルホキシド；及び３−ヒドロキシ−４−ドデコキシブチルメチルスルホキシドを含む。
【００８７】
本発明の組成物のための半極性非イオン性界面活性剤は、ジメチルアミンオキシド、例えばラウリルジメチルアミンオキシド、ミリスチルジメチルアミンオキシド、セチルジメチルアミンオキシド、それらの組み合わせ等を含む。有用な水溶性アミンオキシド界面活性剤は、オクチル、デシル、ドデシル、イソドデシル、ヤシまたはタロウアルキルジ−（低級アルキル）アミンオキシドから選択され、その具体例は、オクチルジメチルアミンオキシド、ノニルジメチルアミンオキシド、デシルジメチルアミンオキシド、ウンデシルジメチルアミンオキシド、ドデシルジメチルアミンオキシド、イソ−ドデシルジメチルアミンオキシド、トリデシルジメチルアミンオキシド、テトラデシルジメチルアミンオキシド、ペンタデシルジメチルアミンオキシド、ヘキサデシルジメチルアミンオキシド、ヘプタデシルジメチルアミンオキシド、オクタデシルジメチルアイン（ｄｉｍｅｔｈｙｌａｉｎｅ）オキシド、ドデシルジプロピルアミンオキシド、テトラデシルジプロピルアミンオキシド、ヘキサデシルジプロピルアミンオキシド、テトラデシルジブチルアミンオキシド、オクタデシルジブチルアミンオキシド、ビス（２−ヒドロキシエチル）ドデシルアミンオキシド、ビス（２−ヒドロキシエチル）−３−ドデコキシ−１−ヒドロキシプロピルアミンオキシド、ジメチル−（２−ヒドロキシドデシル）アミンオキシド、３，６，９−トリオクタデシルジメチルアミンオキシド及び３−ドデコキシ−２−ヒドロキシプロピルジ−（２−ヒドロキシエチル）アミンオキシドである。
【００８８】
本発明の組成物との使用に適した好適な非イオン性界面活性剤は、アルコキシル化界面活性剤を含む。好適なアルコキシル化界面活性剤は、ＥＯ／ＰＯコポリマー、キャッピングされたＥＯ／ＰＯコポリマー、アルコールアルコキシレート、キャッピングされたアルコールアルコキシレート、それらの混合物等を含む。溶媒としての使用のための好適なアルコキシル化界面活性剤は、ＥＯ／ＰＯブロックコポリマー、例えばＰｌｕｒｏｎｉｃ及び逆Ｐｌｕｒｏｎｉｃ界面活性剤；アルコールアルコキシレート、例えばＤｅｈｙｐｏｎ  ＬＳ−５４（Ｒ−（ＥＯ）５（ＰＯ）４）及びＤｅｈｙｐｏｎ  ＬＳ−３６  （Ｒ−（ＥＯ）３（ＰＯ）６）；ならびにキャッピングされたアルコールアルコキシレート、例えばＰｌｕｒａｆａｃ  ＬＦ２２１及びＴｅｇｏｔｅｎ  ＥＣ１１；それらの混合物等を含む。
【００８９】
追加的な機能性材料
潤滑剤組成物の成分は、様々な機能性成分とさらに組み合わされてもよい。いくつかの実施形態において、鉱物油、脂肪酸、ソルビタンエステル、ポリグリコール、及び非イオン性界面活性剤を含む潤滑剤組成物が潤滑剤組成物の総重量の大部分の量、またはさらには実質的に全てを構成する。例えば、いくつかの実施形態において、その中に追加の機能性材料はほとんど、または全く投入されない。
【００９０】
他の実施形態において、追加的な機能性材料が、潤滑剤組成物中に含まれてもよい。機能性材料は、組成物に所望の特性及び機能性を提供する。本出願の目的において、用語「機能性材料」は、使用及び／または濃縮溶液中に、例えば水溶液中に分散または溶解された場合、特定の使用において有益な特性を提供する材料を含む。
【００９１】
好ましい実施形態において、組成物は、シリコーン流体、エマルション、または、プラスチック表面に加えて金属表面上での使用に対する制限を不必要に配合物に与える成分を含まない。乾燥潤滑剤組成物から除かれる例示的なシリコーン材料は、例えば、シリコーンエマルション（例えば、メチル（ジメチル）、高級アルキル及びアリールシリコーン；ならびに官能化シリコーン、例えばクロロシラン；アミノ−、メトキシ−、エポキシ−及びビニル置換シロキサン；シラノールから形成されるエマルション）；ポリジメチルシロキサン、高分子量ヒドロキシ末端ジメチルシリコーン；ケイ素官能基を使用したアニオン性及び／またはカチオン性界面活性剤；シリコーン粉末等を含む。
【００９２】
他の実施形態において、組成物は、抗微生物薬、着色剤、消泡剤または起泡剤、亀裂阻害剤（例えば、ＰＥＴ応力亀裂阻害剤）、フィルム形成材料、追加的な界面活性剤、再付着防止剤、漂白剤、溶解度調整剤、分散剤、濯ぎ助剤、金属保護剤、安定剤、腐食阻害剤、トレーサー、追加的な金属イオン封鎖剤及び／または芳香剤及び／または染料、レオロジー調整剤または増粘剤、ヒドロトロープまたは発色剤、緩衝剤、溶媒等を含み得る。そのような追加的成分の量及び種類は、当業者には明らかである。
【００９３】
有用な乳化剤は、アルコールエトキシレート、塩素、メチル、プロピルまたはブチルエンドキャップアルコールエトキシレート、エトキシル化アルキフェノール（ａｌｋｙｐｈｅｎｏｌ）化合物、及びポリ（エチレンオキシド−プロピレンオキシド）コポリマー、例えば参照によりその全体が本明細書に組み込まれる米国特許第５，５５９，０８７号において開示されるものを含む群の１つ以上をベースとした、さらなる潤滑上の利益を提供するエトキシレート化合物を含む。乾燥潤滑剤組成物中の追加的な乳化剤としての使用に特に好ましいエトキシレート化合物は、エトキシル化ラウリルアルコールである。
【００９４】
有用な抗微生物薬は、消毒剤、防腐剤及び保存剤を含む。有用な抗微生物薬の限定されない例は、酸性ポリサッカリド、ハロ−及びニトロフェノール、ならびに置換ビスフェノール、例えば４−ヘキシルレゾルシノール、２−ベンジル−４−クロロフェノール及び２，４，４’−トリクロロ−２’−ヒドロキシジフェニルエーテルを含むフェノール、有機及び無機酸ならびにそのエステル及び塩、例えばデヒドロ酢酸、ペルオキシカルボン酸、ペルオキシ酢酸、メチルｐ−ヒドロキシ安息香酸、カチオン性薬剤、例えば四級アンモニウム化合物、アルデヒド、例えばグルタルアルデヒド、抗微生物染料、例えばアクリジン、トリフェニルメタン染料及びキノン、ならびにヨウ素及び塩素化合物を含むハロゲンを含む。抗微生物薬は、所望の抗微生物特性を提供するのに十分な量で使用され得る。例えば、乾燥潤滑剤組成物の総重量を基準として、０から約２０重量パーセント、好ましくは約０．０５から約１０重量パーセントの抗微生物薬、または好ましくは約０．１から約５重量パーセントの抗微生物薬である。
【００９５】
有用な泡阻害剤は、メチルシリコーンポリマーを含む。有用な起泡剤の限定されない例は、非イオン性、アニオン性、カチオン性及び両性化合物等の界面活性剤を含む。好ましい実施形態において、非シリコーンポリマーが泡阻害剤及び／または起泡剤として使用される。これらの成分は、所望の結果を与える量で使用され得る。
【００９６】
有用な粘度調整剤は、流動点降下剤及び粘度向上剤、例えばポリメタクリレート、ポリイソブチレン及びポリアルキルスチレンを含む。粘度調整剤は、所望の結果を与える量で、例えば、組成物の総重量を基準として０から約３０重量パーセント、好ましくは約０．５から約１５重量パーセントで使用される。
【００９７】
鉱物油を使用した乾燥潤滑剤組成物の使用から経時的に生じる残渣を防止または低減するための、乾燥潤滑剤組成物における使用に有用なエステルは、例えば脂肪エステルを含む。一態様において、脂肪エステルは、配合物中の鉱物油の濃度と組み合わせて使用されてもよく、または、鉱物油の全てもしくは一部を置き換えてもよい。特に有用なエステルは、例えば、エモリエントエステル、ポリエステル等を含む。エステルは、−−ＯＣＯ−部分を含む。いくつかの実施形態において、エステルは、好ましくは、炭素、水素及び酸素原子以外の原子を含まない。いくつかの実施形態において、エステルは、好ましくは、カルボキシ（−−ＣＯＯ−−）酸素原子を含み、またエーテル  （−−Ｏ−−）酸素原子を含んでもよい。残渣を防止するための、乾燥潤滑剤組成物との使用に好適な市販のエステルの例は、ＣｒｏｄａからのＣｒｏｄａｍｏｌ（登録商標）製品（エステル系）である。
【００９８】
乾燥潤滑剤組成物における使用に有用なトレーサーまたはトレース成分は、例えば、蛍光化合物を含む。そのような化合物は、典型的には、しばしば縮合環系を含有する芳香族または芳香族ヘテロ環式材料である。これらの化合物の重要な特徴は、芳香環と関連した共役二重結合の中断のない鎖の存在である。そのような共役二重結合の数は、置換基、及び分子の蛍光部分の平面性に依存する。ほとんどの化合物は、スチルベンまたは４，４’−ジアミノスチルベン、ビフェニル、５員ヘテロ環（トリアゾール、オキサゾール、イミダゾール等）、または６員ヘテロ環（クマリン、ナフタルアミド、トリアジン等）の誘導体である。そのような成分は、市販されており、当業者に認識される。本発明において有用となり得る例示的なトレーサーまたはトレース成分は、必ずしもこれらに限定されないが、スチルベン、ピラゾリン、クマリン、カルボン酸、メチンシアニン、ジベンゾチオフェン−５，５−ジオキシド、アゾール、５及び６員環ヘテロ環、ならびに他の種々の薬剤の誘導体を含む下位群に分類され得る。本発明において有用となり得るスチルベン誘導体は、必ずしもこれらに限定されないが、ビス（トリアジニル）アミノ−スチルベンの誘導体；スチルベンのビスアシルアミノ誘導体；スチルベンのトリアゾール誘導体；スチルベンのオキサジアゾール誘導体；スチルベンのオキサゾール誘導体；及びスチルベンのスチリル誘導体を含み、その例は、Ｔｉｎｏｐａｌ  ＣＢＳ−Ｘの商品名で入手可能である。他の市販のトレーサーまたはトレース成分は、スチルベン３；ＦＢＡ３５１、及びベンゼンスルホン酸２，２´−（４，４´−ビフェニリレンジビニレン）ジ−二ナトリウム塩の名称で入手可能である。本発明の潤滑剤において使用される他の蛍光トレーサーは、ベンゾオキサゾールのチオフェン、ベンゾオキサゾールチオフェン、有機染料によるアミノトリアジンホルムアルデヒド共縮合物、及びそれらの組み合わせであり、アミノトリアジンホルムアルデヒド共縮合物の有機染料は、色素メラニン、スルホンアミド、ホルムアルデヒドのコポリマーであってもよい。好適な蛍光トレーサーのさらなる説明は、参照によりその全体が本明細書に組み込まれる米国特許出願公開第２０１０／０２９２１１１号に記載されている。
【００９９】
使用方法
一実施形態において、本発明は、コンベヤに沿った容器の通路を潤滑するための方法に関する。この実施形態は、潤滑剤組成物を、コンベヤの容器接触表面の少なくとも一部に、または容器のコンベヤ接触表面の少なくとも一部に適用することを含んでもよい。一態様において、潤滑剤組成物は、いかなる余分な溶媒もなしに、コンベヤベルト表面上に見られるもの等のプラスチック及び／または金属チェーンの表面上に直接適用される。一態様において、適用は、好ましくは、コンベヤチェーン表面に潤滑剤組成物を噴霧する手動または自動噴霧器またはノズルを使用することにより行われてもよい。代替として、潤滑剤組成物は、コンベヤチェーンに沿って潤滑剤を適切に分配し、上記コンベヤチェーンの表面上の潤滑剤の永久的な層またはフィルムを形成することを可能にする、ナイロン剛毛（約０．３８ｍｍの太さを有する）を有するプラスチック刷毛等の刷毛を用いて適用されてもよい。
【０１００】
潤滑剤コーティングは、持続的に、または断続的に適用されてもよい。好ましくは、潤滑剤コーティングは、適用される潤滑剤組成物の量を最小限にするために、断続的に適用される。本発明は、断続的に適用されて、適用の間で低い摩擦係数を維持し得る、または「乾燥」として知られる状態を回避し得ることが発見された。具体的には、本発明は、半乾燥式の場合、ある期間適用され、次いで少なくとも１０分以上、または少なくとも１５分以上適用されなくてもよい。本発明は、完全乾燥式の場合、ある期間適用され、次いで少なくとも１時間、または少なくとも２時間、または少なくとも４時間以上適用されなくてもよい。適用期間は、組成物をコンベヤベルト上に広げるのに十分な長さであってもよい（すなわち、コンベヤベルトの１回転）。適用期間の間、実際の適用は連続的、すなわち潤滑剤はコンベヤ全体に適用されてもよく、または断続的、すなわち潤滑剤は帯状に適用され、容器が潤滑剤を広げてもよい。潤滑剤は、好ましくは、パッケージまたは容器が存在しない場所のコンベヤ表面に適用される。例えば、パッケージもしくは容器の流れの上流側に、または容器もしくはパッケージの下及び上流側に移動する反対のコンベヤ表面上に潤滑剤スプレーを適用することが好ましい。
【０１０１】
いくつかの実施形態において、非適用時間に対する適用時間の比は、少なくとも１：１０、少なくとも１：２０、少なくとも１：３０、少なくとも１：１８０、及び少なくとも１：５００であってもよく、潤滑剤は、潤滑剤適用の間に低い摩擦係数を維持する。
【０１０２】
いくつかの実施形態において、潤滑剤は、約０．４未満、約０．２未満、及び好ましくは約０．１５未満または約０．１２未満の摩擦係数を維持する。
【０１０３】
いくつかの実施形態において、摩擦係数がいつ許容されないほど高いレベルに達したかを決定するために、フィードバックループが使用されてもよい。フィードバックループは、潤滑剤組成物をある期間オンするようにトリガし、次いで、摩擦係数が許容され得るレベルに戻った際に任意選択で潤滑剤組成物をオフにしてもよい。
【０１０４】
潤滑剤組成物の層は、処理された表面に適用される。一実施形態において、潤滑剤コーティング厚は、約０．４未満、約０．２未満、及び好ましくは約０．１５未満または約０．１２未満の摩擦係数を提供する。他の実施形態において、潤滑剤コーティング厚は、約０．４未満、約０．２未満、及び好ましくは約０．１５未満または約０．１２未満の摩擦係数を提供し、好ましくは、概して界面において、少なくとも約０．０００１ｍｍ、より好ましくは約０．００１から約２ｍｍ、最も好ましくは約０．００５から約０．５ｍｍに維持される。
【０１０５】
いくつかの実施形態において、潤滑は、乾燥潤滑剤により、使用用途の汚れたゾーンにおいて、例えば漏れが生じた洗浄前のゾーンにおいて提供される。有益には、乾燥潤滑剤組成物は、清潔な、または汚れたゾーンにおいて使用されるか否かにかかわらず、潤滑が維持されるように摩擦係数の低減をもたらさない。一態様において、乾燥潤滑剤は、清潔及び汚れたゾーンの両方において、約０．４未満、約０．２未満、約０．１５未満、約０．１２未満、好ましくは約０．１未満の摩擦係数を提供する。
【０１０６】
潤滑剤組成物の適用は、標準的な付勢された（例えば加圧された）または付勢されていない噴霧ノズルシステムを含む噴霧、ワイピング、刷毛塗り、ドリップコーティング、ロールコーティング、流体圧システム、及び薄膜の適用のための他の方法を含む、任意の好適な技術を使用して行うことができる。好ましい態様において、潤滑剤組成物の適用は、噴霧ノズルによるものである。
【０１０７】
本発明の一態様において、潤滑剤組成物は、希釈することなくコンベヤチェーン上に直接適用され、８時間まで継続し得る期間コンベヤチェーンの表面に付着する潤滑剤層を形成する。好ましい態様において、潤滑剤組成物は、希釈することなくプラスチックコンベヤチェーン上に直接適用され、８時間まで継続し得る期間コンベヤチェーンの表面に付着する潤滑剤層を形成する。
【０１０８】
様々な種類のコンベヤ及びコンベヤ部品が、潤滑剤組成物でコーティングされ得る。容器を支持またはガイドまたは移動させ、したがって好ましくは潤滑剤組成物でコーティングされるコンベヤの部品は、布地、金属、プラスチック、複合材、またはこれらの材料の組み合わせで作製された表面を有する、ベルト、チェーン、ゲート、シュート、センサ、及び傾斜路を含む。
【０１０９】
潤滑剤組成物はまた、飲料容器、食品容器、家庭用または商業用洗浄製品容器、及び油、不凍剤または他の工業用流体用の容器を含む、様々な容器に適用され得る。容器は、ガラス、プラスチック（例えば、ポリオレフィン、例えばポリエチレン及びポリプロピレン；ポリスチレン；ポリエステル、例えばＰＥＴ及びポリエチレンナフタレート（ＰＥＮ）；ポリアミド、ポリカーボネート；ならびにそれらの混合物またはコポリマー）；金属（例えば、アルミニウム、スズまたはスチール）；紙（例えば、未処理、処理、ワックス加工または他のコーティング紙）；セラミック；及びこれらの材料の２つ以上のラミネートまたは複合材（例えば、ＰＥＴ、ＰＥＮまたはそれらの別のプラスチック材料との混合物のラミネート）を含む様々な材料で作製され得る。方法の一実施形態において、容器は、好ましくは、ポリエチレンテレフタレート、ポリエチレンナフタレート、ガラス、または金属を含む。容器は、カートン（例えば、ワックス加工カートンまたはＴＥＴＲＡＰＡＣＫ（商標）ボックス）、缶、ボトル等を含む、様々なサイズ及び形態を有してもよい。
【０１１０】
容器の任意の所望の部分を潤滑剤組成物でコーティングすることができるが、潤滑剤組成物は、好ましくは、コンベヤまたは他の容器と接触する容器の部分にのみ適用される。
【０１１１】
好ましくは、潤滑剤組成物は、応力亀裂を生じやすい熱可塑性容器の部分には適用されない。しかしながら、本発明によれば、有益には、乾燥潤滑剤組成物は、ＰＥＴ適合性であり、応力亀裂を引き起こさない。
【０１１２】
好ましい実施形態において、本発明は、コンベヤに沿った容器の通路を潤滑するための方法に関する。この実施形態は、希釈されていない潤滑剤組成物を、コンベヤの容器接触表面の少なくとも一部、または容器のコンベヤ接触表面の少なくとも一部に適用することと；コンベヤ上で容器を移送することと；コンベヤを洗浄または濯ぎ、汚れを除去することと；洗浄後の容器の移送を継続することとを含んでもよく、移送は、約０．２以下の摩擦係数で行われる。組成物の一実施形態において、組成物は、詰め替え可能なＰＥＴボトルの応力亀裂試験においてＡまたはＢにグレード分けされる程度にＰＥＴ適合性である。
【０１１３】
本明細書における全ての出版物及び特許出願は、本発明が関連する分野における通常の技術のレベルを示す。全ての出版物及び特許出願は、参照することにより、それぞれの個々の出版物または特許出願が参照により組み込まれるように具体的及び個々に示されたのと同等に、本明細書に組み込まれる。
【実施例】
【０１１４】
以下の限定されない実施例において、本発明の実施形態をさらに定義する。これらの実施例は、本発明のある特定の実施形態を示しているが、例示のみを目的として示されていることが理解されるべきである。上記の議論及びこれらの実施例から、当業者は、本発明の本質的な特徴を確認することができ、またその精神及び範囲から逸脱せずに、様々な使用及び条件に適合させるために本発明の実施形態の様々な変更及び修正を行うことができる。したがって、本明細書において示され説明されるものに加えて、本発明の実施形態の様々な修正は、上記説明から当業者に明らかとなる。そのような修正もまた、添付の特許請求の範囲内に包含されることが意図される。
【０１１５】
実施例１
対照配合物及び本発明による乾燥潤滑剤配合物により潤滑されたショートトラック上のシリンダ槽の摩擦力を測定するために、潤滑性試験を行った。軟鋼（アルミニウム）、ガラス、またはＰＥＴで作製されたシリンダーパッケージの底部に、約２０リットルの水が投入され、ショートトラックコンベヤベルトは、ステンレススチールまたはデルリン（プラスチック）であった。ショートトラックコンベヤベルトを、少なくとも２０分間水で洗浄し、濯いだ。
【０１１６】
潤滑剤配合物を調製し、注入機器のノズルを使用して注入した。最初の測定を行う前に、ショートトラックコンベヤベルトを３０分間作動させた。動力計をゼロ設定し、シリンダボトルをコンベヤ上に設置し、コードで動力計に固定して、力の読み取り値を登録した。薄い短繊維釣り糸によりシリンダに接続されたソリッドステートトランスデューサを用い、平均値を使用した牽引力を測定した。牽引力は、ストリップチャート記録器で監視した。潤滑値とも呼ばれる摩擦係数（ＣＯＦ）は、牽引力（Ｆ）をシリンダーパッケージの重量（Ｗ）で除すことにより計算された：ＣＯＦ＝Ｆ／Ｗ。測定値は、潤滑剤配合物（または対照配合物）が完全に消費されるまで、１０〜３０分毎に取得した。泡形成、コンベヤの音、コンベヤの外観及び洗浄等を含む追加的な所見も得られた。
【０１１７】
コンベヤ及びシリンダボトルは、潤滑剤配合物の適用のために洗浄した。試験期間は、ステンレススチールコンベヤトラック上で２３．７２ｇのアルミニウム缶、２８．３７ｇのガラスボトル及びＰＥＴボトルを使用して、４時間であった。試験期間はまた、プラスチックコンベヤ路上で２６．４５ｇのアルミニウム缶、２３．９０ｇのガラスボトル及びＰＥＴボトルを使用して、４時間であった。
【０１１８】
市販のケイ素及び脂肪アミン系潤滑剤を使用した対照（対照（陽性）ＤｒｙＥｘｘ（登録商標）、Ｅｃｏｌａｂ  Ｉｎｃ．、Ｓｔ．  Ｐａｕｌ、ＭＮ）、トラックに沿って水スプレーを使用した対照（対照（陰性））、及び表２中の配合に従う配合物（乾燥潤滑剤）を、ステンレススチール及びデルリン（プラスチック）コンベヤ上の様々な容器に対する「乾燥」潤滑剤としての使用に関して評価した。いかなる希釈も行わずに、４インチの刷毛適用器を使用して潤滑剤組成物をベルトの表面に適用したが、これは、処理を必要とする表面上に乾燥潤滑剤組成物を噴霧するためにしばしばノズル適用を用いる商業的な使用を含む、様々な手段による適用の代表である。適用された最初の潤滑剤の量は、ステンレススチールコンベヤの場合２８グラム、デルリン（プラスチック）コンベヤの場合２６グラムであった。潤滑剤の最初の適用後、追加の潤滑剤を適用せずにベルトを４時間作動させながら、歪みゲージに加えられた力を記録した。
【表２】
0006669854.tif 000008
【０１１９】
結果を、図１Ａ〜Ｃ（（Ａ）ガラス、（Ｂ）アルミニウム、及び（Ｃ）ＰＥＴ容器に対するステンレススチールコンベヤ）ならびに２Ａ〜Ｃ（（Ａ）ガラス、（Ｂ）アルミニウム、及び（Ｃ）ＰＥＴ容器に対するデルリン（プラスチック）コンベヤ）に示す。これらの実験は、従来の潤滑油組成物が、摩擦係数の許容されない増加を示し、乾燥式適用には好適ではないことを実証した。
【０１２０】
本発明の一実施形態による乾燥潤滑剤は、陽性及び陰性対照よりも、乾燥式において全ての表面に対し効果的（より低い摩擦係数（ＣＯＦ））であった。有益には、本発明による乾燥潤滑剤は、全ての表面に対して少なくとも０．２未満、ならびにガラス及び金属コンベヤ（ＣＯＦは０．１を若干超える）を除く全ての表面に対して０．１未満のＣＯＦをもたらし、産業において望ましく、乾燥潤滑剤としての使用のための陽性対照を凌ぐ摩擦係数を示す。
【０１２１】
実施例２
ＰＥＴ応力亀裂評価を利用して、本発明による例示的な乾燥潤滑配合物を、ＰＥＴ適合性に関して評価した。ボトルに炭酸水を詰め、潤滑剤組成物と接触させ、高い温度及び湿度で２８日間保存し、破裂した、またはボトルの底部分の亀裂から漏れ出したボトルの数を計数することにより、潤滑剤組成物のＰＥＴ飲料ボトルとの適合性を決定した。標準的なコカコーラの２リットルボトルに水道水を充填し、周囲条件下（２０〜２５℃）で一晩保存した。２４本のボトルを加圧し、次いで乾燥潤滑剤組成物を適用し（１０倍濃縮物を含む）、４５ｐｓｉの維持圧力下で７日間接触を維持し、次いでポリエチレン袋を敷いた標準的なバスパン（ｂｕｓ  ｐａｎ）内に設置した。試験した各組成物に対して、２４本のボトルの全部で４つのバスパンを使用した。ボトル及び試験水性組成物をバスパン内に設置した直後、バスパンを１００°Ｆ及び８５％相対湿度の条件下の環境室に移動した。毎日、及び１４日の競合試験後に再び容器をチェックし、壊れたボトル（破裂またはボトルの底の亀裂からの液体の漏れ）の数を記録した。
【０１２２】
評価した乾燥潤滑剤配合物は、軟水（対照（陰性））、乾燥潤滑剤濃縮物（実施例１、表２における配合物）、及び乾燥潤滑剤０．２％を含んでいた。
【０１２３】
小割れの程度の評価は、コカコーラ−−ライン潤滑応力亀裂試験に従って行った。Ａ、Ｂ、Ｃ、及びＤ（それぞれに対して利用可能な（−）または（＋）のグレード分けを含む）の４つのカテゴリーが確立されるが、評価グレードは以下の通りである。
Ａ：小さく非常に浅い亀裂；
Ｂ：中程度の浅い亀裂；
Ｃ：大きく中程度に深い亀裂；
Ｄ：大きく深い亀裂。
【０１２４】
結果を図３Ａ〜Ｃに示すが、これらは、本発明によるコンベヤ潤滑剤組成物が、ＰＥＴボトルとの適合性に関する標準試験において、有利な低レベルの応力亀裂を示したことを実証している。図３Ａは、開始時測定を示し、図３Ｂは、潤滑剤ありで７日目の測定を示し、図３Ｃは、潤滑剤ありでの１４日後の最終測定を示す。
【０１２５】
表３は、評価のさらなる概要を提供する。
【表３】
0006669854.tif 000009
【０１２６】
結果は、全体として、本発明による乾燥潤滑剤は、ＰＥＴ飲料ボトルとの優れたＰＥＴ適合性を提供したことを示している。
【０１２７】
実施例３
ＰＥＴ応力亀裂評価を利用して返却可能なＰＥＴボトルとの使用に関して本発明による例示的乾燥潤滑配合物を評価するために、実施例２の方法をさらに使用した。評価した乾燥潤滑剤配合物は、軟水（対照（陰性））、乾燥潤滑剤濃縮物（実施例１、表２における配合物）、及び乾燥潤滑剤０．２％を含んでいた。
【０１２８】
結果を図４Ａ〜Ｂに示すが、これらは、本発明によるコンベヤ潤滑剤組成物が、返却可能なＰＥＴボトルとの適合性に関する標準試験において、有利な低レベルの応力亀裂を示したことを実証している。図４Ａは、乾燥潤滑剤濃縮物を用いた最終測定を示し、図４Ｂは、乾燥潤滑剤０．２％を用いた最終測定を示す。
【０１２９】
表４は、評価のさらなる概要を提供する。
【表４】
0006669854.tif 000010
【０１３０】
結果は、全体として、本発明による乾燥潤滑剤は、返却可能なＰＥＴ飲料ボトルとも優れたＰＥＴ適合性を提供したことを示している。
【０１３１】
本発明はこのように説明されているが、本発明は多くの様式で変動し得ることは明らかである。そのような変動は、本発明の精神及び範囲からの逸脱としてみなされるべきではなく、全てのそのような修正は、以下の特許請求の範囲内に含まれることが意図される。
【０１３２】
上記明細書は、開示される組成物及び方法の製造及び使用の説明を提供している。本発明の精神及び範囲から逸脱せずに多くの実施形態が考案され得るため、本発明は特許請求の範囲内に存在する。
以下の項目［１］〜［２０］に、本発明の実施形態の例を列記する。
［１］
一つ又は複数の脂肪酸と；
一つ又は複数の炭化水素と；
一つ又は複数のソルビタンエステルと；
一つ又は複数の非イオン性界面活性剤と
を含む、乾燥潤滑剤組成物であって、
前記組成物は水を実質的に含まず、金属及びプラスチックコンベヤに潤滑性を提供する、組成物。
［２］
前記脂肪酸は、前記潤滑剤組成物の約０．１質量％から約２５質量％を構成し、前記炭化水素は、前記潤滑剤組成物の約１質量％から約９５質量％を構成し、前記ソルビタンエステルは、前記潤滑剤組成物の約０．０１質量％から約１５質量％を構成し、前記非イオン性界面活性剤は、前記潤滑剤組成物の約０．１質量％から約２０質量％を構成し、前記潤滑剤組成物の０．００１質量％から約１０質量％を構成する一つ又は複数のポリグリコールを任意に含む、請求項１に記載の組成物。
［３］
前記脂肪酸の炭素原子は、６から２２個である、請求項１または２に記載の組成物。
［４］
炭化水素は、脂肪族炭化水素、ベンゼン炭化水素、アルコール、及びそれらの組み合わせからなる群から選択される、請求項１〜３のいずれか一項に記載の組成物。
［５］
前記ソルビタンエステルは、ソルビタンモノオレエート、ソルビタンモノラウレート、ソルビタンモノエステアレート、ソルビタントリエステアレート、ポリオキシエチレン化ソルビタントリオレエート、エトキシル化ソルビタンモノラウレート、ポリエチレングリコールモノオレエート、エトキシル化ノニルフェノール、及びそれらの組み合わせからなる群から選択される、請求項１から４のいずれか一項に記載の組成物。
［６］
前記ポリグリコールは、ポリアルキレングリコール、ポリエチレングリコール、ポリプロピレングリコール、及びそれらの組み合わせからなる群から選択される、請求項２から５のいずれか一項に記載の組成物。
［７］
前記脂肪酸は、オレイン酸であり、前記ソルビタンエステルは、ソルビタンモノオレエートであり、前記炭化水素は、鉱物油であり、前記ポリグリコールは、ポリエチレングリコールであり、前記非イオン性界面活性剤は、エトキシル化アルコールである、請求項１から６のいずれか一項に記載の組成物。
［８］
シリコーン成分を含まない、請求項１から７のいずれか一項に記載の組成物。
［９］
追加的な機能性材料をさらに含む、請求項１から８のいずれか一項に記載の組成物。
［１０］
約０．１質量％から約２５質量％のＣ６〜Ｃ２２脂肪酸と；
約１質量％から約９５質量％の鉱物油と；
約０．０１質量％から約１５質量％のソルビタンエステルと；
約０．１質量％から約２０質量％の非イオン性界面活性剤と
を含む、乾燥潤滑剤組成物であって、
前記組成物は水及びシリコーン化合物を実質的に含まず、金属及びプラスチックコンベヤに潤滑性を提供し、約０．２未満の摩擦係数を提供する、組成物。
［１１］
前記潤滑剤組成物の約０．００１質量％から約１０質量％を構成する一つ又は複数のポリグリコール、追加的な乳化剤及び／または殺微生物薬をさらに含む、請求項１０に記載の組成物。
［１２］
表面を潤滑する方法であって、
請求項１から１１のいずれか一項に記載の潤滑剤組成物を、乾燥式または半乾燥式潤滑で、直接適用にて表面に適用することと；
摩擦係数を約０．２未満に維持しながら前記表面上に潤滑層またはフィルムを形成し、それにより、前記表面に沿った容器の移動を促進することとを含み、
前記表面は、金属及び／もしくはプラスチックコンベヤチェーン、または金属及び／もしくはプラスチックコンベヤチェーンと接触している容器である方法。
［１３］
前記コンベヤチェーンは、ボトル詰め製品用である、請求項１２に記載の方法。
［１４］
前記適用は、断続的であり、適用間に長い間隔がある、請求項１２または１３に記載の方法。
［１５］
前記適用は、スプレーまたはノズルを使用する、請求項１２から１４のいずれか一項に記載の方法。
［１６］
前記ノズルは、前記潤滑剤組成物を、前記コンベヤチェーンの容器接触表面の少なくとも一部に、または前記容器のコンベヤ接触表面の少なくとも一部に接触させる、請求項１５に記載の方法。
［１７］
前記組成物は、前記容器に接触する前記コンベヤチェーンの部分にのみ、または前記コンベヤに接触する前記容器の部分にのみ適用される、請求項１２から１６のいずれか一項に記載の方法。
［１８］
前記潤滑剤組成物は、ある期間には適用され、またある期間には適用されず、適用時間：非適用時間の比は、少なくとも１：１０である、請求項１２から１７のいずれか一項に記載の方法。
［１９］
前記潤滑剤組成物は、ＰＥＴボトルの応力亀裂試験におけるグレードＡまたはＢにより測定されるように、ＰＥＴ適合性であり、前記容器は、ポリエチレンを含む、請求項１２から１８のいずれか一項に記載の方法。
［２０］
前記潤滑剤組成物は、半乾燥式で適用され、約０．１％から５％の潤滑剤組成物濃度を提供するように水で希釈される、請求項１２から１９のいずれか一項に記載の方法。
【図１Ａ】
0006669854.tif 000011
【図１Ｂ】
0006669854.tif 000012
【図１Ｃ】
0006669854.tif 000013
【図２Ａ】
0006669854.tif 000014
【図２Ｂ】
0006669854.tif 000015
【図２Ｃ】
0006669854.tif 000016
【図３Ａ】
0006669854.tif 000017
【図３Ｂ】
0006669854.tif 000018
【図３Ｃ】
0006669854.tif 000019
【図４Ａ】
0006669854.tif 000020
【図４Ｂ】
0006669854.tif 000021